(57)【要約】      （修正有）【課題】球技用ボールの製造工程及び接着作業の簡素化及び効率化を図り、且つ、安全・安価で高品質を確保出来る、球技用ボールにおける外皮側材を提供する。【解決手段】外皮材１の裏面に、硬化型樹脂を用いて硬化型樹脂層２を形成し、且つ、該硬化型樹脂層２の裏面に両面テープ等の無溶媒接着剤３と、剥離紙等の保護膜層４を重合接着して設けた原反サイズの所定幅と所定長さを有する帯状部材ＢＥを形成し、且つ、該帯状部材ＢＥを、所定形状をした複数の外皮側表皮材ピースＰに打ち抜き形成して設け、且つ、中空球状チューブの表面に外皮側表皮材ピースＰを貼着する時は、外皮側表皮材ピースＰの裏面に設けた保護膜層４を剥離し、プラズマ放電加工によって貼着する。【選択図】図１
0003155393.tif 000002
【実用新案登録請求の範囲】
【請求項１】
球技用ボールにおいて、外皮材（１）の裏面に、硬化型樹脂を用いて硬化型樹脂層（２）を形成し、且つ、該硬化型樹脂層（２）の裏面に両面テープ等の無溶媒接着剤（３）と、剥離紙等の保護膜層（４）を重合接着して設けた原反サイズの所定幅（Ｗ）と所定長さ（Ｌ）を有する帯状部材（ＢＥ）を形成し、且つ、該帯状部材（ＢＥ）を、所定形状をした複数の外皮側表皮材ピース（Ｐ）に打ち抜き形成して設け、且つ、中空球状チューブ（Ｔ）の表面に外皮側表皮材ピース（Ｐ）を貼着する時は、外皮側表皮材ピース（Ｐ）の裏面に設けた保護膜層（４）を剥離し、プラズマ放電加工によって貼着する事を特徴とする球技用ボールにおける外皮材。
【請求項２】
外皮材（１）が、皮革、合成皮革、或いは、合成樹脂から選ばれたものである事を特徴とする請求項１記載の球技用ボールにおける外皮材。
【考案の詳細な説明】
【技術分野】
【０００１】
この考案は、球技用ボールにおける外皮材に関するものである。
【背景技術】
【０００２】
従来、球技用ボールは、外皮側には、ゴム製、合成樹脂製の分割形状の表皮材ピースと、ボール側には、中空球状チューブ（カーカスという）を設けており、複数枚の各表皮材ピースをこの中空球状チューブの全面に、水溶性又は水性の接着剤を介して接着して、ボールを完成させている。
【０００３】
そして、このボール製造には、その都度、外皮側ピース、カーカスに接着剤を塗布する作業を行っており、一個のボールに対して、数十枚の外皮側ピースに一々接着剤を塗布するものであり、その塗布作業が極めて煩雑であり、又、それら多数のボールを乾燥させる場所や設備を揃えたりするとなると広い場所が必要であった（特許文献１参照）。
【０００４】
又、水溶性、水性の接着剤を用いる場合には、外皮側とボール側との間や、特に、外皮側とその外部を被覆する表皮膜との間に少しでも水分が残ると、この残存水滴の箇所が外部から汚れて見えたり、又、残存水滴の箇所にカビが発生したりして、商品としての見栄えが悪くなるという欠点があり、又、その箇所に接着不良が生じ、商品として不良品となる等の欠点があった。
【０００５】
そして、接着剤として、固形型樹脂接着剤を使用して、触媒としての高価剤を使用するにしても、長い間放置しておくと、製造時には固形型樹脂接着剤が劣化しており、接着能力が落ちてしまい、製造作業がうまくいかないという欠点がある。
【０００６】
そこで、上記問題を解決する為に、考案し、先に出願したのが実願２００４−００５６０６（実用新案登録第３１０７８３７号）であり、これを優先権主張の基礎として取得した中国特許第ＺＬ２００４１００８６７２４．９号で、この考案は、ボールの外皮側とボール側との接着に必要な部材を、予め、ボールの外皮側とボール側の一方、又は、両方に分散して備えるか、或いは、ボールの外皮側とボール側の、何れか一方にのみ備えることによって、球技用の製造工程における接着作業の簡素化が図れる、球技用ボールにおける外皮側とボール側との接着構造を開発・提供したものである。
【０００７】
しかし、近年、スポーツ用品業界も益々競争が激しく、如何にして品質を向上させ、少しでも安価で高性能な商品を開発するかが課題で、特にコスト低減と品質向上を実現させる為の方策が問われている。
【０００８】
これまでに出願されている、球技用ボールにおける外皮側とボール側との接着構造に関する特許文献を参考の為、紹介する（特許文献１〜２参照）。
【先行技術文献】
【特許文献】
【０００９】
【特許文献１】実用新案登録第３１０７８３７号
【特許文献２】特開２００３−１２６３０４
【考案の概要】
【考案が解決しようとする課題】
【００１０】
そこで、上記課題を解決する為に、この考案は、球技用ボールの製造工程及び接着作業の簡素化及び効率化を図り、且つ、安全・安価で高品質を確保出来る、球技用ボールにおける外皮側とボール側との接着構造を開発・提供する事にある。
【課題を解決するための手段】
【００１１】
課題を解決するための手段として、外皮材の裏面に、硬化型樹脂を用いて硬化型樹脂層を形成し、且つ、該硬化型樹脂層の裏面に両面テープ等の無溶媒接着剤と、剥離紙等の保護膜層を重合接着して設けた原反サイズの所定幅と所定長さを有する帯状部材を形成し、且つ、該帯状部材を、所定形状をした複数の外皮側表皮材ピースに打ち抜き形成して設け、且つ、中空球状チューブの表面に外皮側表皮材ピースを貼着する時は、外皮側表皮材ピースの裏面に設けた保護膜層を剥離し、プラズマ放電加工によって貼着するものである。又、外皮材が、皮革、合成皮革、或いは、合成樹脂から選ばれたものである。
【考案の効果】
【００１２】
この考案の効果として、外皮材の裏面に、硬化型樹脂を用いて硬化型樹脂層を形成し、且つ、該硬化型樹脂層の裏面に両面テープ等の無溶媒接着剤と、剥離紙等の保護膜層を重合接着して設けた原反サイズの所定幅と所定長さを有する帯状部材を形成し、且つ、該帯状部材を、所定形状をした複数の外皮側表皮材ピースに打ち抜き形成して設け、且つ、中空球状チューブの表面に外皮側表皮材ピースを貼着する時は、外皮側表皮材ピースの裏面に設けた保護膜層を剥離し、プラズマ放電加工によって貼着し、又、外皮材が、皮革、合成皮革、或いは、合成樹脂から選ばれた事で、球技用ボールの製造工程及び接着作業の簡素化及び効率化を図り、且つ、安全・安価で高品質を確保出来る等、極めて有益なる効果を奏するものである。
【図面の簡単な説明】
【００１３】
【図１】この考案の一実施例を示し、帯状部材の（Ａ）は平面図で、（Ｂ）は正面図である。
【図２】この考案の一実施例を示し、外皮側表皮材の斜視図である。
【図３】この考案の一実施例を示し、中空球状チューブの一部欠截断面図である。
【図４】この考案の使用例を示し、外皮側表皮材と中空球状チューブとの接着状態を示す（Ａ）は球技用ボールの全体正面図で、（Ｂ）は図４（Ａ）のａ−ａ矢視断面拡大図である。
【考案を実施するための形態】
【００１４】
この考案を実施するための形態として、球技用ボールにおいて、外皮材（１）の裏面に、硬化型樹脂を用いて硬化型樹脂層（２）を形成し、且つ、該硬化型樹脂層（２）の裏面に両面テープ等の無溶媒接着剤（３）と、剥離紙等の保護膜層（４）を重合接着して設けた原反サイズの所定幅（Ｗ）と所定長さ（Ｌ）を有する帯状部材（ＢＥ）を形成し、且つ、該帯状部材（ＢＥ）を、所定形状をした複数の外皮側表皮材ピース（Ｐ）に打ち抜き形成して設け、且つ、中空球状チューブ（Ｔ）の表面に外皮側表皮材ピース（Ｐ）を貼着する時は、外皮側表皮材ピース（Ｐ）の裏面に設けた保護膜層（４）を剥離し、プラズマ放電加工によって貼着する事を特徴とする球技用ボールにおける外皮材から成るものである。
【００１５】
又、外皮材（１）が、皮革、合成皮革、或いは、合成樹脂から選ばれたものである事を特徴とする球技用ボールにおける外皮材から成るものである。
【実施例１】
【００１６】
そこで、この考案の一実施例を図１〜図３に基づいて詳述すると、まず、図１（Ａ）（Ｂ）は所定幅と所定長さを有する原反サイズの帯状部材（ＢＥ）を示し、（Ａ）は一部欠截断面図で、（Ｂ）は斜視図である。又、前記帯状部材（ＢＥ）は合成皮革等の外皮材（１）と、硬化型樹脂層（２）と、無溶媒接着剤（３）と、保護膜層（４）を４枚重ねに重合接着して設けたものである。
【００１７】
又、上記の４枚重ねに重合接着して設けた帯状部材（ＢＥ）を、打ち抜き形成して複数の六角形状の外皮側表皮材ピース（Ｐ）を形成する。又、打ち抜き形成されたそれぞれの外皮側表皮材ピース（Ｐ）は、図２に示す様に合成皮革等の外皮材（１）と、硬化型樹脂層（２）と、無溶媒接着剤（３）と、保護膜層（４）で構成されている。
【００１８】
図３は、球技用ボールの中空球状チューブ（Ｔ）の一部欠截断面図である。
【００１９】
そして、外皮側表皮材ピース（Ｐ）を中空球状チューブ（Ｔ）の表面に、貼着する時は、図４に示す様に外皮側表皮材ピース（Ｐ）の裏面部に貼着した剥離紙等の保護膜層（４）を必要枚数だけ剥離して、中空球状チューブ（Ｔ）の表面にそれぞれ載置し、プラズマ放電加工によって貼着する。
【産業上の利用可能性】
【００２０】
この考案の球技用ボールにおける外皮材は、球技用ボールの製造工程及び接着作業の簡素化及び効率化を図り、且つ、安全・安価で高品質を確保出来る事で、多くのスポーツ用品関係市場に寄与する為、産業上の利用可能性を有する。
【符号の説明】
【００２１】
１  外皮材
２  硬化型樹脂層
３  無溶媒接着剤
４  剥離紙等の保護膜層
ＢＥ  帯状部材
Ｌ  所定長さ
Ｐ  外皮側表皮材ピース
Ｔ  中空球状チューブ
Ｗ  所定幅
【図１】
0003155393.tif 000003
【図２】
0003155393.tif 000004
【図３】
0003155393.tif 000005
【図４】
0003155393.tif 000006